(57)【要約】    【課題】  画像形成された用紙に対してインサート用紙として予め用意された画像形成された用紙を混交する際に、該混交の準備が整ったときに画像形成を実行することで、ダウンタイムを低減させることを可能にした画像形成装置を提供する。    【解決手段】  カラー白黒混交に必要なカラーの画像形成された用紙が積載されたスタッカトレイ１２０７が白黒ＭＦＰ１０５のインサータ１０８に設置されるまで、白黒ＭＦＰ１０５のＣＰＵ１７０５が白黒ＭＦＰ装置内で画像形成を実行しないように制御する。【選択図】      図２２
2005067862.tif 000002
【特許請求の範囲】
【請求項１】
ネットワークに接続された外部装置から入力されるジョブの画像形成を実行する画像形成手段を備える画像形成装置において、
予め決められたページに用紙を挿入する挿入手段であって、前記画像形成装置に取り付け及び取り外しできるものと、
前記外部装置から入力されるジョブが前記挿入手段を使用するか否かを判定する判定手段と、
前記画像形成装置に前記挿入手段が取り付けられたか否かを検知する検知手段と、
前記判定手段により前記挿入手段を使用すると判定されたジョブについては、前記検知手段により前記挿入手段の前記画像形成装置への取り付けが検知されるまで、画像形成を実行しないように前記画像形成手段を制御する制御手段とを備えることを特徴とする画像形成装置。
【請求項２】
ネットワークに接続された外部装置から入力されるジョブの画像形成を実行する画像形成手段を備える画像形成装置において、
予め決められたページに用紙を挿入する挿入手段と、
前記外部装置から入力されるジョブが前記挿入手段を使用するか否かを判定する判定手段と、
前記画像形成装置に前記挿入手段による挿入が可能か否かを判別する判別手段と、
前記判定手段により前記挿入手段を使用すると判定されたジョブについては、前記判別手段により前記挿入手段による挿入が可能であると判別されるまで、画像形成を実行しないように前記画像形成手段を制御する制御手段とを備えることを特徴とする画像形成装置。
【発明の詳細な説明】
【技術分野】
【０００１】
本発明は、ネットワークに接続される画像形成装置に関し、特にインサータ機能を有する画像形成装置に関する。
【背景技術】
【０００２】
従来、ネットワークに複写装置等の画像形成装置が接続されたシステムにおいて、カラー原稿と白黒原稿が混在した複数原稿をプリントアウトする場合に、ユーザはカラー画像形成装置（カラー複写装置）によって複数原稿のすべてをプリントアウトさせることで、カラーページと白黒ページが混在する複数ページの印刷物を得ていた。
【０００３】
一方、上記カラー複写装置は白黒複写装置よりも画像形成処理に時間がかかり、コストもかかるので、カラー原稿と白黒原稿が混在した複数原稿のなかで、白黒原稿だけは白黒複写装置によってプリントアウトさせたいという要望がある。
【０００４】
そこで、カラー原稿と白黒原稿が混在した複数原稿をプリントアウトする場合において、白黒原稿は白黒複写装置によってプリントアウトさせ、カラー原稿はカラー複写装置によってプリントアウトさせることが考えられる（例えば、特許文献１参照。）。この場合、白黒複写装置によってプリントアウトされた記録紙とカラー複写装置によってプリントアウトされた記録紙を元の複数原稿のように１つにまとめるには、ユーザが一方の複写装置で出力された記録紙と記録紙の間に、他方の複写装置で出力された記録紙をインサートし、手作業でページ順を整えなければならなかった。
【０００５】
このように、複数の画像をプリントアウトしたものを１つの資料にしたいときには、コンピュータ上で処理できない部分があり、プリントアウトされたものをユーザが机の上に広げて手作業しなければならず、効率が悪くこの点の省力化が望まれていた。
【０００６】
上述したような、複数の画像をプリントアウトしたものを１つの資料にする際の煩雑さを解決する方法として、白黒の画像形成装置に装着されたインサータ装置に、予めプリントされたカラー画像出力紙を積載し、再給紙する混交制御方法がある。混交制御方法は、一般的に白黒画像形成装置による出力に対して出力速度の点で劣るカラー画像形成装置による出力を一旦インサートトレイに格納し、カラー白黒混交を行うための諸情報、つまりプリント対象ジョブのジョブナンバーや紙サイズ、プリント部数、インサータ装置における紙の積載状態やマテリアル（普通紙や厚紙など紙の種類）等の情報を操作部等を用いて指定し、その設定に基づき、白黒原稿の情報をネットワークに接続されているサーバからダウンロードする、又は画像形成装置内の記憶装置から読み出して白黒画像を形成し前記カラー画像出力紙との混交動作を行うものである（例えば、特許文献２参照）。
【特許文献１】特開平８−３３５１５０号公報（第２−４頁、第４，５図）
【特許文献２】特開２０００−２１１８０７号公報（第８−９頁）
【発明の開示】
【発明が解決しようとする課題】
【０００７】
さらには、カラー白黒混交を行うための諸情報の設定やインサータ装置の設定といったユーザにとって煩わしい操作を低減させ、且つ設定ミスに起因したカラー出力紙と白黒出力紙を適正でない状態で混交する間違いを発生させないようにするため、前述のカラー白黒混交を行うための諸情報を記憶したメモリを出力紙が積載されるスタック装置に装備し、そのスタック装置をインサートトレイとしてインサータ装置に装着することで自動的に前述の設定が可能な混交制御方法も提案されている。
【０００８】
しかし、上記従来の混交制御方法を用いてネットワークに接続された複数台の白黒画像形成装置及びカラー画像形成装置によって原稿をプリントする処理では、インサータ装置が装着された白黒画像形成装置におけるカラーと白黒の混交のプリントジョブ（以下、「カラー白黒混交プリントジョブ」という）の白黒出力開始条件が規定されていないため、インサート用紙として使用するカラー出力紙の準備が整っていない状態にもかかわらずカラー白黒混交プリントジョブの白黒出力を白黒画像形成装置により出力開始してしまい、出力途中でインサート用紙なしで白黒画像形成装置が停止してしまうことがあった。これにより、出力が可能な後続のプリントジョブも待たされてしまい、白黒画像形成装置を効率良く使用することができないという課題があった。特に、ステイプル装置や糊付け装置やテープバインド装置といった画像形成装置に接続されたオンラインの後処理装置によって混交した出力紙を出力文書として完成させる必要がある場合には、前述の後処理を行うための処理部にある出力紙を排出させることもできないため、カラー白黒混交プリントジョブの後続で待たされている出力可能なプリントジョブを優先して先行出力させるといったことも不可能となり、白黒画像形成装置に大きなダウンタイムを発生させてしまうことになる。
【０００９】
本発明は、上述した点に鑑みなされたものであり、画像形成された用紙に対してインサート用紙として予め用意された画像形成された用紙を混交する際に、該混交の準備が整ったときに画像形成を実行することで、ダウンタイムを低減させることを可能にした画像形成装置を提供することを目的とする。
【課題を解決するための手段】
【００１０】
上記目的を達成するために、請求項１の画像形成装置は、ネットワークに接続された外部装置から入力されるジョブの画像形成を実行する画像形成手段を備える画像形成装置において、予め決められたページに用紙を挿入する挿入手段であって、前記画像形成装置に取り付け及び取り外しできるものと、前記外部装置から入力されるジョブが前記挿入手段を使用するか否かを判定する判定手段と、前記画像形成装置に前記挿入手段が取り付けられたか否かを検知する検知手段と、前記判定手段により前記挿入手段を使用すると判定されたジョブについては、前記検知手段により前記挿入手段の前記画像形成装置への取り付けが検知されるまで、画像形成を実行しないように前記画像形成手段を制御する制御手段とを備えることを特徴とする。
【００１１】
請求項２の画像形成装置は、ネットワークに接続された外部装置から入力されるジョブの画像形成を実行する画像形成手段を備える画像形成装置において、予め決められたページに用紙を挿入する挿入手段と、前記外部装置から入力されるジョブが前記挿入手段を使用するか否かを判定する判定手段と、前記画像形成装置に前記挿入手段による挿入が可能か否かを判別する判別手段と、前記判定手段により前記挿入手段を使用すると判定されたジョブについては、前記判別手段により前記挿入手段による挿入が可能であると判別されるまで、画像形成を実行しないように前記画像形成手段を制御する制御手段とを備えることを特徴とする。
【発明の効果】
【００１２】
以上詳細に説明したように、本発明によれば、判定手段により挿入手段を使用すると判定されたジョブについては、検知手段により挿入手段の画像形成装置への取り付けが検知されるまで、画像形成を実行しないように画像形成手段が制御されるので、従来のように出力途中でインサート用紙なしで白黒画像形成装置が停止してしまうことが防止され、画像形成装置の大幅なダウンタイムの発生を低減させることが可能となる。
【発明を実施するための最良の形態】
【００１３】
まず、本発明の実施の形態の概要を説明する。
【００１４】
本発明の実施の形態では、少なくとも１台以上の、カラー画像形成装置、白黒画像形成装置及びコンピュータをネットワーク接続した画像形成システムにおいて、該コンピュータから出力されたジョブに基づき、カラー画像形成装置及び白黒画像形成装置のいずれか一方又は双方に接続されたインサータ装置で、カラー文書、白黒文書、又はカラー白黒混交文書を出力する際のカラー画像形成装置及び白黒画像形成装置の出力制御に関するものである。
【００１５】
即ち、インサータ装置を使用するジョブにおいて、混交ジョブのインサート用紙として使用される、画像形成が完了した出力紙がインサータ装置に積載されたことが検知されるまでは、混交ジョブのカラー出力又は白黒出力が開始されないようにカラー画像形成装置及び白黒画像形成装置を制御することで、従来のようなカラー画像形成装置又は白黒画像形成装置の大幅なダウンタイムの発生を低減させるものである。
【００１６】
次に、本発明の実施の形態を図面を参照して詳細に説明する。
【００１７】
＜画像形成システムの概要＞
図１は本発明の実施の形態に係る複数台の画像形成装置と複数台のコンピュータをネットワーク接続した画像形成システムの全体構成を示す概念図である。画像形成システムは、ネットワーク１０１上に、コンピュータ１０２，１０３ａ，１０３ｂ、及び画像形成装置であるＭＦＰ（Multi Function  Peripheral：マルチファンクション周辺機器）１０４，１０５を備えている。尚、本図では図示していないが、ネットワーク１０１上には、上記ＭＦＰ１０４、１０５以外のＭＦＰ、スキャナ、プリンタ又はＦＡＸ等のその他の機器も接続されている。
【００１８】
ネットワーク１０１に接続されたコンピュータ１０２は、サーバコンピュータとして構成され、コンピュータ１０３ａ及び１０３ｂは、クライアントコンピュータとして構成されている。本図では図示していないが、クライアントコンピュータはこれらの他にも多数接続されている。以下、クライアントコンピュータを代表して１０３と表記する。ネットワーク１０１に接続されたＭＦＰ１０４は、フルカラーでスキャンやプリント等を行うカラーＭＦＰであり、その出力紙は該ＭＦＰ１０４に装着されたスタッカ１０７内のスタッカトレイ１２０７に順次積載、格納される。ネットワーク１０１に接続されたＭＦＰ１０５は、モノクロでスキャンやプリント等を行う白黒ＭＦＰであり、その出力紙は該ＭＦＰ１０５に装着されたインサータ１０８（挿入手段）内のスタッカトレイ１２０７で白黒画像出力紙とカラー画像出力紙が混交された後、該インサータ１０８に接続されたスタッカ１０９に順次積載、格納される。
【００１９】
また、ＭＦＰ１０４に装着されたスタッカ１０７におけるスタッカトレイ１２０７、及びＭＦＰ１０５に装着されたインサータ１０８におけるスタッカトレイ１２０７は、取り外し可能に構成されている。ＭＦＰ１０５において、スタッカトレイ１２０７に積載された用紙を、スタッカトレイ１２０７を介してインサータ１０８にセットすることで、ＭＦＰ１０５はカラー画像出力紙と白黒画像出力紙を混交することが可能なシステムとなる。ＭＦＰ１０５で混交された出力紙は、オフラインの（ＭＦＰ１０５外部の）後処理用のバケットに一時格納され、図示しない後処理装置により製本等が実行される。
【００２０】
また、コンピュータ１０３上では、いわゆるＤＴＰ（Desk Top Publishing：デスクトップパブリッシング）を実行するアプリケーションソフトウェアを動作させ、各種文書や図形を作成及び編集することが可能である。コンピュータ１０３は、作成した文書や図形をＰＤＬ（Page Description Language：ページ記述言語）に変換する。コンピュータ１０３でＰＤＬ変換されたデータは、ネットワーク１０１を経由してＭＦＰ１０４，１０５に送られてプリントアウトされる。
【００２１】
また、ＭＦＰ１０４，１０５は、それぞれ、コンピュータ１０２，１０３とネットワーク１０１を介して情報を交換できる通信手段を有しており、ＭＦＰ１０４，１０５の情報や状態をコンピュータ１０２、１０３側に逐次知らせる仕組みとなっている。更に、コンピュータ１０２，１０３は、ＭＦＰ１０４，１０５からの情報を受けて動作するユーティリティソフトウェアを備えており、ＭＦＰ１０４，１０５をコンピュータ１０２，１０３により管理することができる。
【００２２】
＜ＭＦＰ１０４，１０５の構成＞
次に、図２〜図１２を用いてＭＦＰ１０４、１０５の構成について説明する。但し、ＭＦＰ１０４とＭＦＰ１０５の差はフルカラーとモノクロの差であり、色処理以外の部分ではフルカラー機器がモノクロ機器の構成を包含することが多いため、ここではフルカラー機器であるＭＦＰ１０４に絞って説明し、必要に応じて、随時モノクロ機器であるＭＦＰ１０５の説明を加えることとする。
【００２３】
図２は本実施の形態に係る画像形成装置であるＭＦＰ１０４の全体構成を示すブロック図である。ＭＦＰ１０４は、スキャナ部２０１、ＩＰ部（Image Processing：画像処理部）２０２、ＦＡＸ（ファクシミリ）部２０３、ＮＩＣ（Network Interface Card：ネットワークインターフェイスカード）部２０４、ＰＤＬ部２０５、コア部２０６、ＰＷＭ（Pulse Width Modulation）部２０７、プリンタ部２０８、及びディスプレイ部２１０を備えている。図中の符号１０７はスタッカ部である。
【００２４】
スキャナ部２０１は、原稿から画像の読み取りを行う。ＩＰ部２０２は、スキャナ部２０１で読み取られた画像データを画像処理する。ＦＡＸ部２０３は、ファクシミリ等に代表されるものであり、電話回線を利用した画像の送受信を行う。ＮＩＣ部２０４は、ネットワークを利用してコンピュータ１０２，１０３等との間で画像データや装置情報を送受信する。ＰＤＬ部２０５は、コンピュータ１０３から送られてきたページ記述言語（ＰＤＬ）を画像信号に展開する。コア部２０６は、ＭＦＰ１０４の使い方に応じて画像信号を一時保存したり、画像信号の経路を決定する。
【００２５】
ＰＷＭ部２０７は、コア部２０６から出力される画像データに対しパルス幅変調を行う。プリンタ部２０８（画像形成手段）は、ＰＷＭ部２０７から出力された画像データに基づき用紙上に画像形成を行う。即ち、コア部２０６から出力された画像データは、プリンタ部２０８に送られる。プリンタ部２０８でプリントアウトされた用紙は、スタッカ１０７へ送り込まれ、順次積載される。ディスプレイ部２１０は、画像をプリンタ部２０８でプリントせずに画像の内容を確認したり、画像をプリンタ部２０８でプリントする前に画像の様子を確認したりする（プレビュー）ために用いられる。
【００２６】
＜スキャナ部２０１の構成＞
図３は本実施の形態に係る画像形成装置であるＭＦＰ１０４のスキャナ部２０１の構成を示す構成図である。
【００２７】
スキャナ部２０１は、原稿台ガラス３０１と、ミラー３０４及び照明ランプ３０３を有する第１ミラーユニット３１０と、ミラー３０５，３０６を有する第２ミラーユニット３１１と、レンズ３０７と、ＣＣＤセンサ３０８と、画像処理部（ＩＰ部）２０２とを備えている。
【００２８】
原稿台ガラス３０１の上面には、読み取られるべき原稿３０２が置かれる。原稿３０２は照明ランプ３０３により照射され、その反射光はミラー３０４，３０５，３０６を経て、レンズ３０７によりＣＣＤセンサ３０８上に結像される。ミラー３０４及び照明ランプ３０３を含む第１ミラーユニット３１０は速度ｖで移動し、ミラー３０５，３０６を含む第２ミラーユニット３１１は速度ｖ／２で移動することにより、原稿３０２の全面を走査する。第１ミラーユニット３１０及び第２ミラーユニット３１１は、モータ３０９により駆動する。
【００２９】
＜画像処理部２０２の構成＞
図４は、本実施の形態に係る画像形成装置であるＭＦＰ１０４の画像処理部（ＩＰ部）２０２の構成を示すブロック図である。
【００３０】
画像処理部（ＩＰ部）２０２は、Ａ／Ｄ変換部４０１、シェーディング補正部４０２、ライン補間部（ラインディレイ調整回路）４０３、入力マスキング部４０４、ＬＯＧ変換部（輝度／濃度変換部）４０５、出力マスキング／ＵＣＲ回路部４０６、ガンマ変換部４０７、及び空間フィルタ４０８を備えている。図中の符号３０８はＣＣＤセンサである。
【００３１】
スキャナ部２０１に入力された光学的信号は、ＣＣＤセンサ３０８により電気信号に変換される。このＣＣＤセンサ３０８は、Ｒ、Ｇ、Ｂの３ラインのカラーセンサであり、ＣＣＤセンサ３０８からＲ、Ｇ、Ｂのそれぞれの画像信号がＡ／Ｄ変換部４０１に入力される。Ａ／Ｄ変換部４０１は、入力された画像信号のゲイン調整及びオフセット調整を行った後、Ｒ、Ｇ、Ｂの各色信号毎に８ｂｉｔのデジタル画像信号Ｒ０、Ｇ０、Ｂ０に変換する。その後、シェーディング補正部４０２は、色ごとに、基準白色板の読み取り信号を用いた公知のシェーディング補正を施す。更に、ＣＣＤセンサ３０８の各色ラインセンサは、相互に所定の距離を隔てて配置されているため、ライン補間部（ラインディレイ調整回路）４０３において、副走査方向の空間的ずれを補正する。
【００３２】
次に、入力マスキング部４０４は、ＣＣＤセンサ３０８のＲ、Ｇ、Ｂフィルタの分光特性で決まる読取色空間を、ＮＴＳＣ（National Television System Committee）の標準色空間に変換する部分であり、ＣＣＤセンサ３０８の感度特性／照明ランプのスペクトル特性等の諸特性を考慮した装置固有の定数を用いた３×３のマトリックス演算を行い、入力された（Ｒ０、Ｇ０、Ｂ０）信号を標準的な（Ｒ、Ｇ、Ｂ）信号に変換する。更に、ＬＯＧ変換部（輝度／濃度変換部）４０５は、ルックアップテーブル（ＬＵＴ）ＲＡＭにより構成され、Ｒ、Ｇ、Ｂの輝度信号がＣ１、Ｍ１、Ｙ１の濃度信号になるように変換する。
【００３３】
出力マスキング／ＵＣＲ回路部４０６は、Ｍ１、Ｃ１、Ｙ１信号を画像形成装置のトナー色であるＹ、Ｍ、Ｃ、Ｋ信号にマトリクス演算を用いて変換する部分であり、ＣＣＤセンサ３０８で読み込まれたＲ、Ｇ、Ｂ信号に基づいたＣ１、Ｍ１、Ｙ１、Ｋ１信号をトナーの分光分布特性に基づいたＣＭＹ、Ｋ信号に補正して出力する。次に、ガンマ補正部４０７において、トナーの色味諸特性を考慮したルックアップテーブル（ＬＵＴ）ＲＡＭを使って、画像出力のためのＣ、Ｍ、Ｙ、Ｋデータに変換する。空間フィルタ４０８では、シャープネス又はスムージングを施す。上記処理が施された後、画像信号はコア部２０６へと送られる。
【００３４】
尚、ＭＦＰ１０５によりモノクロの画像処理を行う場合には、単色の１ラインＣＣＤセンサを用いて、単色でＡ／Ｄ変換、シェーディングを行った後、入出力マスキング、ガンマ変換、空間フィルタの順で処理しても構わない。
【００３５】
＜ＦＡＸ部２０３の構成＞
図５は、本実施の形態に係る画像形成装置であるＭＦＰ１０４のＦＡＸ部２０３の構成を示すブロック図である。
【００３６】
ＦＡＸ部２０３は、ＮＣＵ部５０１、変調部５０３及び復調部５０４を有するモデム部５０２と、圧縮部５０５と、伸張部５０６と、メモリ部５０７とを備えている。
【００３７】
先ず、受信時には、電話回線から来たデータをＮＣＵ部５０１で受け取り電圧の変換を行い、モデム部５０２の中の復調部５０４でＡ／Ｄ変換及び復調操作を行った後、伸張部５０６でラスタデータに展開する。一般にＦＡＸでの圧縮伸張にはランレングス法等が用いられる。ラスタデータに変換された画像は、メモリ部５０７に一時保管され、画像データに転送エラーがないことを確認後、コア部２０６へ送られる。次に、送信時には、コア部２０６より送出されてきたラスタイメージの画像信号に対して、圧縮部５０５でランレングス法等の圧縮を施し、モデム部５０２内の変調部５０３にてＤ／Ａ変換及び変調操作を行った後、ＮＣＵ部５０１を介して電話回線へと送られる。
【００３８】
＜ＮＩＣ部２０４の構成・ＰＤＬ部２０５の構成＞
図６は、本実施の形態に係る画像形成装置であるＭＦＰ１０４のＮＩＣ部２０４及びＰＤＬ部２０５の構成を示すブロック図である。
【００３９】
ＮＩＣ部２０４は、トランス部６０１及びＬＡＮコントローラ部６０２を備えている。
【００４０】
ネットワーク１０１に対してのインターフェイスの機能を持つのが、このＮＩＣ部２０４であり、例えば１０Ｂａｓｅ−Ｔ／１００Ｂａｓｅ−ＴＸ等のEthernet（登録商標）ケーブル等を利用して、外部からの情報を入手したり外部へ情報を流す役割を果たす。外部より情報を入手する場合は、先ず、トランス部６０１で外部からの情報の電圧変換を行い、ＬＡＮコントローラ部６０２に送る。ＬＡＮコントローラ部６０２は、その内部に第１バッファメモリ及び第２バッファメモリ（不図示）を備えており、その情報が必要な情報か否かを判断した上で、第２バッファメモリに送った後、ＰＤＬ部２０５に信号を送信する。次に、外部に情報を提供する場合には、ＰＤＬ部２０５より送られてきたデータは、ＬＡＮコントローラ部６０２で必要な情報を付加して、トランス部６０１を経由してネットワーク１０１に接続される。
【００４１】
ＰＤＬ部２０５は、ＣＰＵ部６０３、メモリ部（ＨＤＤ）６０４及びメモリ部（ＤＲＡＭ）６０５を備えている。
【００４２】
コンピュータ１０３上で動作するアプリケーションソフトウェアによって作成された画像データは、文書、図形及び写真等から構成されており、これらは、それぞれ、文字コード、図形コード及びラスタ画像データ等による画像記述の要素の組み合わせから構成されている。これが、いわゆるＰＤＬ（Page Description Language：ページ記述言語）であり、Adobe社のPostScript（登録商標）言語に代表されるものである。
【００４３】
ＰＤＬ部２０５では、上記ＰＤＬデータからラスタ画像データへの変換処理を行う。先ず、ＮＩＣ部２０４から送られてきたＰＤＬデータは、ＣＰＵ部６０３を経由して一度ハードディスク（ＨＤＤ）のような大容量のメモリ部６０４に格納され、ここで各ジョブ毎に管理、保存される。次に、必要に応じて、ＣＰＵ部６０３は、ＲＩＰ（Raster Image Processing）と呼ばれるラスタ化画像処理を行って、ＰＤＬデータをラスタイメージに展開する。展開されたラスタイメージデータは、Ｃ、Ｍ、Ｙ、Ｋの色成分毎にＤＲＡＭなどの高速アクセス可能なメモリ部６０５にジョブ毎にページ単位で格納され、プリンタ部２０８の状況に合わせて、再びＣＰＵ部６０３を介してコア部２０６へ送られる。
【００４４】
＜コア部２０６の構成＞
図７は、本実施の形態に係る画像形成装置であるＭＦＰ１０４のコア部２０６の構成を示すブロック図である。
【００４５】
コア部２０６は、バスセレクタ部７０１、圧縮部７０２、ハードディスク（ＨＤＤ）等の大容量メモリからなるメモリ部（ＨＤＤ）７０３及び伸張部７０４を備えている。
【００４６】
コア部２０６のバスセレクタ部７０１は、様々なデータの交通整理の役割を担っている。即ち、バスセレクタ部７０１は、複写機能、ネットワークスキャン機能、ネットワークプリント機能、ファクシミリ送信／受信機能又はディスプレイ表示機能等のＭＦＰ１０４における各種機能に応じてバスの切り替えを行う。以下に各機能を実行するためのバスの切り替えのパターンを示す。
【００４７】
・複写機能：スキャナ部２０１→コア部２０６→プリンタ部２０８
・ネットワークスキャン機能：スキャナ部２０１→コア部２０６→ＮＩＣ部２０４
・ネットワークプリント機能：ＮＩＣ部２０４→コア部２０６→プリンタ部２０８
・ファクシミリ送信機能：スキャナ部２０１→コア部２０６→ＦＡＸ部２０３
・ファクシミリ受信機能：ＦＡＸ部２０３→コア部２０６→プリンタ部２０８
・ディスプレイ表示機能：スキャナ部２０１、ＦＡＸ部２０３又はＮＩＣ部２０４→コア部２０６→ディスプレイ部２１０
次に、バスセレクタ部７０１から送出された画像データは、圧縮部７０２、メモリ部７０３及び伸張部７０４を介してプリンタ部２０８（ＰＷＭ部２０７）又はディスプレイ部２１０へ送られる。圧縮部７０２で用いられる圧縮方式は、ＪＰＥＧ（Joint Photographic）、ＺＩＰ等の一般的なものを用いればよい。圧縮された画像データは、ジョブ毎に管理され、ファイル名、作成者、作成日時、ファイルサイズ等の付加データと一緒に格納される。
【００４８】
更に、ジョブの番号とパスワードを設けて、それらも圧縮画像データと一緒に格納すれば、パーソナルボックス機能をサポートすることができる。これは、データの一時保存や特定の人にしかプリントアウト（ＨＤＤからの読み出し）ができないようにするための機能である。記憶されているジョブのプリントアウトの指示が行われた場合には、パスワードによる認証を行った後にメモリ部７０３より圧縮画像データを呼び出し、圧縮画像データの伸張を行ってラスタイメージに戻してプリンタ部２０７に送る。
【００４９】
＜ＰＷＭ部２０７の構成＞
図８（Ａ）は、本実施の形態に係る画像形成装置であるＭＦＰ１０４のＰＷＭ部２０７及びプリンタ部２０８の構成を示すブロック図であり、図８（Ｂ）はＭＦＰ１０４のＰＷＭ部２０７の各構成部に入出力される信号を示す図である。
【００５０】
ＰＷＭ部２０７は、三角波発生部８０１、Ｄ／Ａ変換部８０２及びコンパレータ８０３を備えている。プリンタ部２０８は、レーザ駆動部８０４、レーザ８０５、ポリゴンスキャナ９１３、感光ドラム９１７，９２１，９２５，９２９を備えている。
【００５１】
コア部２０６から送出されたイエロー（Ｙ）、マゼンタ（Ｍ）、シアン（Ｃ）、ブラック（Ｋ）の４色に色分解された画像データ（ＭＦＰ１０５の場合は単色となる）は、それぞれのＰＷＭ部２０７を通ってそれぞれ画像形成される。三角波発生部８０１は、図８（Ｂ）に示すような三角波を発生する。Ｄ／Ａ変換部８０２は、入力されるデジタル画像信号をアナログ画像信号に変換する。三角波発生部８０１からの信号（図８（Ｂ）のａ）及びＤ／Ａ変換部８０２からの信号（図８（Ｂ）のｂ）は、コンパレータ８０３で大小比較され、図８（Ｂ）ｃに示すような信号となってプリンタ部２０８のレーザ駆動部８０４へ送られる。レーザ駆動部８０４は、ＣＭＹＫそれぞれの画像信号をＣＭＹＫの画像信号に対応した複数のレーザ発行装置で構成されるレーザ８０５でレーザビームに変換する。そして、ポリゴンスキャナ９１３で、それぞれのレーザビームを走査して、それぞれの感光ドラム９１７，９２１，９２５，９２９に照射する。
【００５２】
＜プリンタ部２０８の構成（カラーＭＦＰ１０４の場合）＞
図９は、本実施の形態に係る画像形成装置であるカラーＭＦＰ１０４のプリンタ部２０８の内部構造を示す構成図である。
【００５３】
図中の符号９１３はポリゴンミラーであり、４つの半導体レーザ８０５（図８）より発光された４本のレーザ光を受ける。その内の１本はミラー９１４，９１５，９１６を経て感光ドラム９１７を走査する。次の１本はミラー９１８，９１９，９２０を経て感光ドラム９２１を走査する。次の１本はミラー９２２，９２３，９２４を経て感光ドラム９２５を走査する。次の１本はミラー９２６，９２７，９２８を経て感光ドラム９２９を走査する。
【００５４】
一方、符号９３０はイエロー（Ｙ）のトナーを供給する現像器であり、レーザ光に従い、感光ドラム９１７上にイエローのトナー像を形成する。符号９３１はマゼンタ（Ｍ）のトナーを供給する現像器であり、レーザ光に従い、感光ドラム９２１上にマゼンタのトナー像を形成する。符号９３２はシアン（Ｃ）のトナーを供給する現像器であり、レーザ光に従い、感光ドラム９２５上にシアンのトナー像を形成する。符号９３３はブラック（Ｋ）のトナーを供給する現像器であり、レーザ光に従い、感光ドラム９２９上にマゼンタのトナー像を形成する。以上４色（Ｙ、Ｍ、Ｃ、Ｋ）のトナー像がシート（用紙）上に転写され、フルカラーの出力画像を得ることができる。
【００５５】
シートカセット９３４，９３５又は手差しトレイ９３６のいずれかより給紙されたシートは、レジストローラ９３７を経て転写ベルト９３８上に吸着され、搬送される。給紙のタイミングと同期がとられて、予め感光ドラム９１７，９２１，９２５，９２９には各色のトナーが現像されており、シートの搬送と共に、トナーがシートに転写される。各色のトナーが転写されたシートは、分離され、搬送ベルト９３９により搬送され、定着器９４０によってトナーがシートに定着される。定着器９４０を抜けたシートは排出される。このように、シートが印刷面を上にしたフェイスアップ状態で排出されるので、プリントは最終ページから順に行う。
【００５６】
尚、４つの感光ドラム９１７，９２１，９２５，９２９は、距離ｄをおいて、等間隔に配置されており、搬送ベルト９３９によりシートは一定速度ｖで搬送されており、これらのタイミング同期（シートへの画像転写タイミングと給紙タイミングの同期）がとられて、４つの半導体レーザ８０５は駆動される。
【００５７】
＜プリンタ部２０８の構成（白黒ＭＦＰ１０５の場合）＞
図１０は本実施の形態に係る画像形成装置である白黒ＭＦＰ１０５のプリンタ部２０８の内部構造を示す構成図である。
【００５８】
図中の符号１０１３はポリゴンミラーであり、半導体レーザ８０５より発光されたレーザ光を受ける。レーザ光はミラー１０１４，１０１５，１０１６を経て感光ドラム１０１７を走査する。一方、符号１０３０は黒色のトナーを供給する現像器であり、レーザ光に従い、感光ドラム１０１７上にトナー像を形成する。トナー像がシートに転写され、出力画像を得ることができる。
【００５９】
シートカセット１０３４，１０３５又は手差しトレイ１０３６のいずれかより給紙されたシートは、レジストローラ１０３７を経て転写ベルト１０３８上に吸着され、搬送される。給紙のタイミングと同期がとられて、予め感光ドラム１０１７にはトナーが現像されており、シートの搬送と共に、トナーがシートに転写される。トナーが転写されたシートは、分離され、定着器１０４０によってトナーがシートに定着される。定着器１０４０を抜けたシートは排出される。この場合、シートがフェイスアップ状態で排出されるので、プリントは最終ページから順に行う。また、反転部１０４１によってシートのフェイスダウン状態や、先頭ページからプリント処理する先頭ページ処理も可能である。
【００６０】
＜ディスプレイ部２１０の構成＞
図１１は、本実施の形態に係る画像形成装置であるＭＦＰ１０４のディスプレイ部２１０の構成を示すブロック図である。
【００６１】
ディスプレイ部２１０は、逆ＬＯＧ変換部１１０１、ガンマ変換部１１０２、メモリ部１１０３及びＣＲＴ（ディスプレイ装置）１１０４を備えている。
【００６２】
コア部２０６より送出された画像データは、Ｃ、Ｍ、Ｙ、Ｋデータであるため、逆ＬＯＧ変換部１１０１でＲ、Ｇ、Ｂデータに変換する必要がある。
【００６３】
次に、ＣＲＴ等のディスプレイ装置１１０４やＭＦＰ１０５の色の特性に合わせるために、ガンマ変換部１１０２は逆ＬＯＧ変換部１１０１で変換されたＲ、Ｇ、Ｂデータに対して、ルックアップテーブルを使用して出力変換を行う。変換された画像データは、一度、メモリ部１１０３に格納されて、ＣＲＴ等のディスプレイ装置１１０４によって表示される。ここで、ディスプレイ部２１０を使用するのは、出力画像を予め確認するプレビュー機能や、出力する画像が意図したものと間違いないかを検証するプルーフ機能により画像を確認する場合、又はプリントの必要がない画像を確認する場合に、プリントシートの無駄を省くためである。
【００６４】
＜ネットワークユーティリティソフトウェア＞
次に、コンピュータ１０２，１０３上にて動作するユーティリティソフトウェアについて説明する。ＭＦＰ１０４，１０５内のネットワークインターフェース部分（ＮＩＣ部２０４及びＰＤＬ部２０５）には、ＭＩＢ（Management Information Base）と呼ばれる標準化されたデータベースが構築されており、ＳＮＭＰ（Simple Network Management Protocol）というネットワーク管理プロトコルを介してネットワーク上のコンピュータと通信し、ＭＦＰ１０４，１０５を始めとして、ネットワーク上につながれたスキャナ、プリンタ又はＦＡＸ等の管理が可能になっている。
【００６５】
一方、コンピュータ１０２，１０３上では、ユーティリティと呼ばれるソフトウェアプログラムが動作しており、ネットワークを介して上記ＳＮＭＰの利用によりＭＩＢ機能を使って必要な情報交換が可能となる。例えば、ＭＦＰ１０４，１０５の装備情報としてスタッカ１０７やスタッカトレイ１２０７がセットされているか否かを検知する、又は、ＭＦＰ１０４，１０５の名前や設置場所等を記入、変更、若しくは確認するというようなＭＩＢ機能を使うことにより、ユーザはネットワーク１０１に接続されたＭＦＰ１０４、１０５の情報をコンピュータ１０２，１０３上で確認することができる。また、これらの情報は、コンピュータ（サーバ）１０２とコンピュータ（クライアント）１０３を区別して、書き込み・読み出しに制限を持たせることも可能である。
【００６６】
従って、このＭＩＢ機能を使うことにより、ＭＦＰ１０４，１０５の装備情報、ＭＦＰ１０４，１０５の状態、ネットワークの設定、ジョブの経緯、使用状況の管理、これらの制御等のあらゆる情報を、ユーザはコンピュータ１０２，１０３の前で入手することが可能となる。
【００６７】
＜ＧＵＩ＞
次に、コンピュータ１０２上で動作させるＧＵＩ（Graphic User Interface）と呼ばれるユーティリティソフトウェアの操作画面の表示について図１３に基づき説明する。このユーティリティソフトウェアはコンピュータ１０３で動作させることもできる。
【００６８】
図１３は、コンピュータ１０２上でユーティリティソフトウェアを起動させたときの画面の表示例を示す図である。
【００６９】
同図において、符号１３０１はウインドウ、符号１３２０がカーソルであり、マウスを使ってクリックすると別のウインドウが開いたり、次の状態に遷移する。符号１３０２はタイトルバーと呼ばれ、現在のウインドウの階層やタイトルを表示するのに用いられる。符号１３０３〜１３０７はそれぞれタブと呼ばれ、それぞれの分類ごとに整理されており、必要な情報を見たり、必要な情報を選択したりすることができる。
【００７０】
ここでは、符号１３０３がデバイスタブと呼ばれ、このタブを押下すると、デバイスの存在とその概要を知ることができる。デバイスタブ１３０３には、ＭＦＰ１０４とＭＦＰ１０５を示すビットマップ画像があり（１３１１，１３１３）、符号１３１０（Device Ready）や符号１３１２（Device Not Ready）のメッセージにより、これらＭＦＰ１０４，１０５がどのような状態であるかが表示される。装置状態の詳細はステータスタブ１３０４を押下するとわかる仕組みになっている。次に、符号１３０５はキュータブであり、このタブを押下すると、それぞれの装置内にキューイングされているジョブの様子やデバイスの混み具合を知ることができる。
【００７１】
次に、コンフィグタブ１３０６を押下すると、どのような機能を持つフィニッシャがＭＦＰ１０４，１０５に装着されているか等の装備情報を知ることができる。装備情報としては、例えば、ＭＦＰ１０５にはインサータが装着されているか、又はフィニッシャが装着されているか、５０００枚まで収納可能なレターサイズのペーパーデッキが装着されているか、そのシート残量がどのくらいであるか、又は両面処理を行うユニットが装着されているか等である（図１３ではフィニッシャ装着例を示している）。セットアップタブ１３０７を押下すると、装置のネットワーク設定情報を知ることができる。
【００７２】
＜スタッカ１０７の構成＞
図１２は本実施の形態に係るスタッカ１０７がカラーＭＦＰ１０４の出力紙を積載・格納するのに使用される場合の構成を示す構成図である。
【００７３】
スタッカ１０７には、スタッカトレイ１２０７が収納されており、実際にはスタッカトレイ１２０７内に、用紙が積載される。カラーＭＦＰ１０４のプリンタ部２０８によりプリントされたシートは、スタッカ１０７に送り込まれ、ジョブの種類に応じて積載方法を下記の「Ｓ置き」と「Ｆ置き」に選択され、積載され格納される。ここで、白黒画像出力紙に混交されるべきカラー画像出力紙のカラーページ数が３ページの場合を例にとると、設定された部数分づつ同一ページを積載する方法を「Ｓ置き」モード積載、３ページ分を順次積み重ねて積載する場合を「Ｆ置き」モード積載と呼ぶ。図１２ではＦ置きでシートが置かれている。
【００７４】
スタッカトレイ１２０７に装備されているリフタ装置は、リフタ部１２０３、紙面検知センサ１２０５、リフタ位置検知センサ１２０６、及びリフタ部１２０３を駆動する不図示の機構で構成されている。リフタ部１２０３は、紙面の位置を検知する紙面検知センサ１２０５の出力に基づき、カラーＭＦＰ１０４で画像形成された用紙が排出される排出口１２０４から紙面までの高さが一定に保たれるように制御され、画像形成された用紙の積載性を向上させる。また、リフタ部１０３を上下方向に駆動する方法の一例は、スタッカ１０７に装備されている不図示のモータが、連結ギア１２０８を介して、リフタ部１２０３に接続されているワイヤを巻き取ることが可能なギア１２０９に駆動を伝達することで、リフタ部１２０３の上下駆動が可能となる。
【００７５】
リフタ位置検知センサ１２０６は、リフタ部１２０３の位置を検知することで、スタッカトレイ１２０７の積載量を検知する。リフタ位置検知センサ１２０６をリフタ部１２０３の上下方向の複数箇所に設置することにより、検知精度を上げることができる。紙面検知センサ１２０５及びリフタ位置検知センサ１２０６は、フラグ式センサ、光学式センサ、又はイメージセンサ等のいずれの構造でもよく、各センサはスタッカトレイ１２０７に装備されている。また、リフタ部１２０３は、図１８に示すように、スタッカトレイ１２０７がインサータ１０８に装着され、用紙が再給紙される場合の給紙ローラに対して紙面の高さを一定に保つための装置でもある。
【００７６】
スタッカトレイ１２０７に装備される記憶装置（メモリ）１２０２は、カラーＭＦＰ１０４によって画像形成されたカラー画像出力紙を、白黒ＭＦＰ１０５によって画像形成される白黒画像出力紙の中にインサートして、カラー画像出力紙と白黒画像出力紙を混交するための情報を書き込むための記憶媒体である。また、白黒画像出力紙をカラー画像の出力紙にインサートするための情報を書き込むための記憶媒体でもよい。記憶装置（メモリ）１２０２に書き込みされるデータは、例えば、紙サイズ、ジョブＩＤ、プリントＮｏ、プリント枚数、プリント部数、出力紙積載方法（出力紙の表面を上向きにした状態で排紙して積載するか否かを示す）、又はマテリアル（普通紙や厚紙など紙の種類）等であり、これによりカラーデータと白黒データとのマッチングやページ合わせが行われ、混交動作が実行可能となる。
【００７７】
尚、スタッカ１０７は、用紙が積載される際に、リフタ部１２０３のリフタ装置による制御がなく、カラーＭＦＰ１０４の出力紙が自然に積載されるものとしてもよい。
【００７８】
＜インサータ１０８の構成＞
図１８は本実施の形態に係る画像形成装置である白黒ＭＦＰ１０５に装着されたインサータ１０８及び大容量スタッカ１０９の構成を示す構成図である。
【００７９】
インサータ１０８は、カラーＭＦＰ１０４が出力しスタッカトレイ１２０７に積載・格納したカラー画像出力紙を、上記記憶装置１２０２内の情報に従い、白黒ＭＦＰ１０５が出力する白黒画像出力紙の間にインサートするように給紙・搬送し、カラー白黒混交を実行する。また、インサート用のカラー画像出力紙を混交するために積載・格納しておく手段として、スタッカトレイ１２０７を用いることを特徴としている。
【００８０】
インサータ１０８に格納されたカラー画像出力紙を、リフタ部１２０３を用いてスタッカ１０７と同様に上昇させ、給紙ローラ１９０３に対して紙面の高さが常に一定になるように制御する。更に、重送防止ローラ１９０４が給紙ローラ１９０３と逆回転となることで、用紙が一度に複数枚給紙されることを防ぐ機構が採用されている。
【００８１】
＜大容量スタッカ１０９＞
インサータ１０８内のスタッカトレイ１２０７に積載されたジョブ束（カラーＭＦＰ１０４のプリントジョブで画像形成されたカラー画像出力紙の束）と、白黒ＭＦＰ１０４から出力されたジョブ束（白黒ＭＦＰ１０５のプリントジョブで画像形成された白黒画像出力紙の束）は、上述した制御により適切な混交が行われ、混交された出力紙が、インサータ１０８の下流側に設置される大容量スタッカ１０９に順次格納されるものである。大容量スタッカ１０９に積載されたジョブ束群は、その後オフラインにより、製本等の処理やフィニッシング処理が施されるものである。
【００８２】
この場合、上記フィニッシング処理としては、出力紙をバインドするためのステープラによる処理、出力紙をＺ字状に折るためのＺ折り機による処理、出力紙をファイルするためのファイル用の２つ（又は３つ）の穴開けを行うパンチャによる処理等があり、ジョブの種類に応じてそれぞれの処理を行う。そのほか、製本のためのグルー（糊付け）によるバインド、又はバインド後にバインド側と反対側の端面を揃えるためのカッティング等を加えるトリムも可能である。また、大容量スタッカ１０９の用紙格納部を、上述のスタッカトレイ１２０７を併用できる構成にすると更に短時間で効果的にカラー白黒混交が可能である。
【００８３】
＜メモリに対する書き込み・読み出し動作＞
カラーＭＦＰ１０４が、カラー画像出力紙と白黒画像出力紙の混交のためのカラージョブをスタッカトレイ１２０７に対してプリント出力する際、図１７に示すように、カラーＭＦＰ１０４のＣＰＵ１８０５は、スタッカトレイ１２０７に装備されている記憶装置（メモリ）１２０２に対して書き込み動作を行う。即ち、ＣＰＵ１８０５は、用紙サイズ、プリント枚数、プリント部数、プリンタＮｏ、ジョブの番号、カラー／白黒の判定結果によるシートそれぞれのページ番号、該ページ番号の順番を示すページ順情報（Ｓ置き、Ｆ置きなど）、マテリアル（普通紙や厚紙などのシートの種類）、及びフィニッシング処理の情報等のカラー白黒混交動作に必要な全ての情報を、カラーＭＦＰ１０４のＩ／Ｆ部１８０３及びスタッカトレイ１２０７のＩ／Ｆ部１８０４を介し記憶装置１２０２に対して書き込み動作を行う。
【００８４】
その後、図１６に示す白黒ＭＦＰ１０５のＣＰＵ１７０５（検知手段）が、スタッカトレイ有無センサ（図示略）によって、白黒ＭＦＰ１０５のインサータ１０８にスタッカトレイ１２０７の設置を検知した場合は、白黒ＭＦＰ１０５のＩ／Ｆ部１７０３及びスタッカトレイ１２０７のＩ／Ｆ部１７０４を介して記憶装置１２０２内の情報の読み出し動作を行う。そして、その読み出された情報に基づいて、白黒ＭＦＰ１０５とインサータ１０８を制御してカラー白黒混交動作を開始する。
【００８５】
ここで、カラーＭＦＰ１０４、白黒ＭＦＰ１０５、スタッカトレイ１２０７の各Ｉ／Ｆ部は、多ｂｉｔのバス幅を持つパラレル制御でもよいし、Ｉ／Ｆ部にシリアル制御部を含むことで、赤外線通信を含むシリアル通信によって実現されているものでもよい。また、白黒ＭＦＰ１０５がスタッカトレイ１２０７にプリント出力する場合も、白黒ＭＦＰ１０５のＣＰＵ１７０５が記憶装置１２０２に上記同様の情報の書き込み動作を行う。更に、カラーＭＦＰ１０４における読み出し動作も同様である。また、記憶装置１２０２は、複数ジョブ分のデータのマップを持つことが可能で、ひとつのスタッカトレイ１２０７で複数ジョブの混交動作にも対応することできる。
【００８６】
更に、記憶装置１２０２に書き込まれた情報（メモリデータ）が、記憶装置１２０２としてＥＥＰ−ＲＯＭ等の不揮発性のメモリか又はＳＲＡＭを使用する場合等は、カラーＭＦＰ１０４、白黒ＭＦＰ１０５からスタッカトレイ１２０７が分離され、カラーＭＦＰ１０４、白黒ＭＦＰ１０５からスタッカトレイ１２０７に電源が供給されない場合においても、スタッカトレイ１２０７内部に装備したバッテリ１２０１による電源供給によって、失われないものとする。
【００８７】
図１９は本実施の形態に係る記憶装置１２０２のメモリマップを示す図である。メモリマップは、例えば、ジョブＮｏ、プリンタＮｏなどが図示のようなアドレスに振り分けられている。メモリマップは、複数ジョブが書き込まれるときは、エリア０〜エリアｎに振り分けられる。図示の例では、スタッカトレイ１２０７に積載されている出力紙に対応するジョブは、複数ジョブあり、最初に処理されるべきジョブＮｏが「ジョブ３」であることを示している。
【００８８】
また、図示の例では、設置されるべきインサータ１０８が接続されている白黒ＭＦＰは「ＭＦＰ１０５」であり、上述のジョブＮｏとあわせて現在のＭＦＰで実行可能な組み合わせであるかが判断され、このジョブがプリントされるべきと判断された場合のみ混交動作が行われる。ジョブが現在のＭＦＰで実行不可能と判断された場合は、その旨をコンピュータ（サーバ）１０２からコンピュータ（クライアント）１０３に通知するか、又は白黒ＭＦＰ１０５の表示部等で警告報知する。尚、警告報知は、表示のみ、表示と音声の併用、音声のみのいずれでもよい。また、図示の例では、プリンタＮｏが指定されていない時は、インサータ１０８が設置されている白黒ＭＦＰであればどれでも使用可能であることを示している。
【００８９】
更に、図示の例では、用紙サイズがＡ４であり、積載されている用紙のマテリアルが「厚紙」で、厚紙特有の処理、例えば給紙速度を可変制御する等の制御が行われるとしてもよい。また、図示の例では、スタッカトレイ１２０７内の積載状態が、カラーＭＦＰ１０４で先頭ページ処理されフェイスダウン出力されたジョブ束（出力紙の束）であることと、カラーＭＦＰ１０５ではフェイスアップ出力が必要である「状態Ａ」であることを示し、それに従ってプリント制御が行われる。更に、図示の例では、白黒プリントされるべきページＮｏが「３、４、５、１０、１２・・・」であることを示し、そのページ分のみプリント動作される。
【００９０】
＜ジョブの自動混交＞
ジョブの混交（カラー画像出力紙と白黒画像出力紙の混交）の概略について図１に基づいて説明する。
【００９１】
カラーＭＦＰ１０４によりプリントされスタッカ１０７に排出されたシート束を、ユーザがスタッカトレイ１２０７ごと白黒ＭＦＰ１０５に接続されているインサータ１０８にセットする。そして、白黒ＭＦＰ１０５のＣＰＵ１７０５（判定手段）は、スタッカトレイ１２０７がセットされたことを検知すると、スタッカトレイ１２０７に装備されている記憶装置１２０２の情報を読み取り、読み取ったジョブＮｏ等の情報に基づき当該ジョブが混交すべきジョブか否かを判断する。
【００９２】
混交すべきジョブだと判断された場合は、コンピュータ（サーバ）１０２又はコンピュータ（クライアント）１０３に、白黒ＭＦＰ１０５のコントローラが起動をかけ、ジョブ情報をコンピュータ（サーバ）１０２から受信する。その情報にあわせて白黒画像出力紙に対してカラー画像出力紙を混交し、どのページ位置に配置し、どのようなフィニッシング処理が施されるかを認識する。又は、コンピュータ（サーバ）１０２、コンピュータ（クライアント）１０３に起動をかけること無しに、白黒ＭＦＰ１０５本体内に予めダウンロードしておいたプリント情報にあわせて混交する。
【００９３】
また、白黒ＭＦＰ１０５では、白黒画像出力紙に対して混交されるカラー画像出力紙のマテリアルを認識することにより、給紙速度や搬送速度を可変制御する場合もある。また、カラーＭＦＰ１０４の用紙ジャムや重送と呼ばれる不良が原因で、スタッカトレイ１２０７内に不具合な用紙が格納された場合、白黒ＭＦＰ１０５では、混交すべきでないと判断されるジョブＮｏや使用不可な用紙Ｎｏの情報を読み取ることで、図示しないエスケープトレイに用紙を強制的に排出できるものとしてもよい。また、その情報を表示部等の伝達部によって、ユーザに伝えることが有効である。
【００９４】
＜積載制御＞
スタッカトレイ１２０７に格納されるカラー画像出力紙の積載方法によって、白黒ＭＦＰ１０５の出力方法は制御される。これを図２０を用いて説明する。
【００９５】
本実施の形態では、１０枚の原稿をカラーＭＦＰ１０４と白黒ＭＦＰ１０５とで印刷する。１０枚の原稿は第５，第６，第９，第１０頁目がカラー（Ｃ）の原稿であり、その他は白黒（Ｂ／Ｗ）の原稿である（図２０（ａ））。また、本実施の形態では、複数の積載状態（例えば積載状態Ａ（図２０（ｂ））、積載状態Ｂ（図２０（ｃ））、積載状態Ｃ（図２０（ｄ））、積載状態Ｄ（図２０（ｅ）））を想定している。
【００９６】
積載状態Ａは、両面印刷において、フェイスアップ出力且つ後原稿から処理が行われる出力（印刷面を上向きにした状態での出力且つ最終ページから順に印刷が行われる出力）である。積載状態Ｂは、両面印刷において、フェイスダウン出力且つ先頭原稿から処理が行われる出力（印刷面を下向きにした状態での出力且つ先頭ページから順に印刷が行われる出力）である。積載状態Ｃは、片面印刷において、フェイスアップ出力且つ後原稿から処理が行われる出力である。積載状態Ｄは、片面印刷において、フェイスダウン出力且つ先頭原稿から処理が行われる出力である。
【００９７】
カラーＭＦＰ１０４からの出力が、フェイスアップ出力且つ後原稿から処理が行われる出力の場合は、スタッカトレイ１２０７内に積載される出力紙の束は、積載状態Ａ−１のようになる。この場合、白黒画像出力紙とカラー画像出力紙が混交された後は、積載状態Ａ−２のようにフェイスダウン出力が要望されるので、白黒ＭＦＰ１０５からの出力は、フェイスダウン出力且つ先頭原稿から処理が行われる出力が選択される。
【００９８】
同様に、カラーＭＦＰ１０４からの出力が、フェイスダウン出力且つ先頭原稿から処理が行われた場合は、スタッカトレイ１２０７内に積載される出力紙の束は、積載状態Ｂ−１のようになる。この場合、白黒画像出力紙とカラー画像出力紙が混交された後は、積載状態Ｂ−２のようにフェイスアップ出力が要望されるので、白黒ＭＦＰ１０５からの出力は、フェイスアップ出力且つ後原稿から処理が行われる出力が選択される。よって、カラーＭＦＰ１０４の出力紙の積載方法によって、白黒ＭＦＰ１０５の画像形成処理を制御する必要があり、その情報はスタッカトレイ１２０７内の記憶装置１２０２に記憶される。カラーＭＦＰ１０４はその情報に基づいて混交動作を行う。尚、上記の積載状態Ａ及び積載状態Ｂに関する出力制御については図２３に基づいて後述する。
【００９９】
＜ジョブの分割＞
次に、カラー画像と白黒画像のジョブ分割について説明する。コンピュータ１０３、１０２からＭＦＰ１０４，１０５を使用し、１つのジョブ内にカラーページと白黒ページが混在しているジョブをプリントする場合、先ず、図１４に示すようなコンピュータ１０２，１０３上で動作するソフトウエアであるドライバを用いてカラーＭＦＰ１０４にジョブを転送する。
【０１００】
図１４において、符号１５０１はコンピュータ１０２，１０３の画面上に表示されるドライバウインドウである。ドライバウインドウ１５０１の中の設定項目として、符号１５０２はカラープリンタ（カラーＭＦＰ１０４）の選択を行うカラープリンタ選択カラム、符号１５０３は白黒プリンタ（白黒ＭＦＰ１０５）の選択を行う白黒プリンタ選択カラム、符号１５０４はジョブの中から出力ページを選択するページ設定カラム、符号１５０５は部数を指定する部数設定カラム、符号１５０６はカラー／白黒混在ジョブに対してカラー／白黒画像の分割を指示するジョブカラーモードカラム、符号１５０７は印刷を開始するＯＫキー、符号１５０８は印刷を取りやめるキャンセルキー、及び符号１５０９は更なる詳細設定を行うプロパティキーである。
【０１０１】
ここで、ジョブカラーモードカラム１５０６は、ジョブを自動的に分割する自動分割、ジョブを手動で分割する手動分割、全ページをカラーで印刷する全ページカラー、全ページを白黒で印刷する全ページ白黒、の中から１つのモードを選択することが可能である。手動分割の場合には、ユーザがそれぞれのページに対して、どちらのＭＦＰから出力するかの選択設定をすることになる。つまり、詳細設定ウインドウにて各ページ毎にカラーであるか又は白黒であるかを予め手動設定しておく。
【０１０２】
＜ジョブの自動分割とカラー／白黒判定＞
次に、ジョブの自動分割に関して図１５を用いて説明する。
【０１０３】
図１５は、本実施の形態に係るカラー／白黒ページ分割処理を示すフローチャートである。上記図１４のドライバウインドウ１５０１においてＯＫキー１５０７が押されると、コンピュータ（クライアント）１０３上のドライバは、コンピュータ（サーバ）１０２を介して、カラーページ及び白黒ページが混在しているジョブであることを示す情報とプリントジョブをカラーＭＦＰ１０４及び白黒ＭＦＰ１０５に送る。
【０１０４】
コンピュータ（クライアント）１０３上のドライバは、自動分割の場合には、この時点ではどのページが白黒ページであるかを判定できていないので、全ページのジョブ内容をカラーＭＦＰ１０４及び白黒ＭＦＰ１０５へそれぞれ送る。カラーページと白黒ページを送る順序は、カラーＭＦＰ１０４、白黒ＭＦＰ１０５の順で時間をずらして送ってもよいし、２つのＭＦＰ１０４，１０５に同時に送っても構わない。
【０１０５】
尚、カラーページ及び白黒ページが混在しているジョブであることを示す情報を受けた白黒ＭＦＰ１０５は、カラーＭＦＰ１０４からの白黒ページ番号通知までプリント処理を開始せずに待機する。
【０１０６】
図１５において、ジョブが自動分割（Auto Separation）に設定されていれば（ステップＳ１６０１でＹＥＳ）、コンピュータ（クライアント）１０３上のドライバはコンピュータ（サーバ）１０２を介して、サンプリング周期の設定内容をカラーＭＦＰ１０４へ送る（ステップＳ１６０２）。
【０１０７】
但し、サンプリング周期の設定は、上記図１４のプロパティキー１５０９により表示される詳細設定のためのウインドウで事前に行われている。サンプリング周期に関し、１００画素×１００ラインに１ポイントの割合でサンプリングすれば、サンプリング時間は１／１００００で済む。４００dpiの画像の場合に０.２５inch（=６.３５mm）周期の格子単位でサンプリングすると、レターサイズ（１１"x８.５"）のシートで約１５００ポイントになり、カラー／白黒の何れであるかはある程度判定できる。それでも判定が困難な画像の場合には、更にサンプリング周期を細かく設定するか、又は上記図１３のジョブカラーモードカラム１３０６を手動分割（Manual Separation）に設定し、詳細設定ウインドウにて各ページがカラーであるか又は白黒であるかを予め手動設定しておく。
【０１０８】
次に、ジョブ及びサンプリング周期を受け取ったカラーＭＦＰ１０４のＰＤＬ部２０５は、ジョブ内のページを最終頁から順に順次ラスタライズ展開処理（ＲＩＰ）し、ＲＩＰ後の画像をページ単位、色成分（ＣＭＹ、Ｋ）毎にメモリ部（半導体メモリ）６０５に格納する。格納された画像は、そこでＣＰＵ部６０３によりカラー／白黒判定が行われる（ステップＳ１６０３）。カラー／白黒判定にはメモリ部６０５内の各サンプルポイントに黒（Ｋ）以外の成分（ＣＭＹ成分）があるか否かで行われる（ステップＳ１６０４，ステップＳ１６０５）。
【０１０９】
このとき、カラー／白黒判定の速度を速めるために、ページ内のサンプリングポイントの中に１ポイントでもカラー（ＣＭＹ）成分があれば、そのページはカラー画像であるため、その時点でそのページにおけるカラー／白黒判定を中止し、そのページはカラーページとしてカラーＭＦＰ１０４内部で処理される。この場合、当該ジョブに対して再プリントをすることが考えられるため、そのページのページ番号情報はカラーページであることを示す情報と共にネットワーク１０１を経由してコンピュータ（サーバ）１０２へ通知する（ステップＳ１６０９）。そして、そのページはカラーＭＦＰ１０４にてカラープリントする（ステップＳ１６１０）。また、前述したメモリへの書き込みのために、ジョブ中のカラーページのページ番号をカラーＭＦＰ１０４のメモリに記憶しておく。
【０１１０】
上記ステップＳ１６０５において、ページ内のサンプリングポイントに１ポイントもカラー（ＣＭＹ）成分が存在しない場合には、そのページは白黒ページとして白黒処理するため、そのページのページ番号情報は白黒ページであることを示す情報と共に、ネットワーク１０１を経由してサーバ１０２に通知する（ステップＳ１６１１）。同時に、カラーＭＦＰ１０４のメモリにページ情報として書き込まれる。コンピュータ（サーバ）１０２は、白黒ページ番号情報を自動的に白黒ＭＦＰ１０５に通知してもよいし、白黒ＭＦＰ１０５からの要求信号によって通知するものとしてもよい。
【０１１１】
ステップＳ１６０３〜ステップＳ１６０６、ステップＳ１６０９〜ステップＳ１６１１の処理は、ジョブキャンセルの割り込みが入らない限り最終ページまで繰り返され（ステップＳ１６１３）、カラーＭＦＰ１０４におけるジョブを終了する。
【０１１２】
上記ステップＳ１６０１で自動分割の設定がなされていない場合、即ち、手動分割が設定されている場合には、コンピュータ（サーバ）１０２が、ドライバから各ページがカラーであるか又は白黒であるかの情報を受け取り、それに応じてカラーページについてはカラーＭＦＰ１０４へプリント指示し、白黒ページについては白黒ＭＦＰ１０５へプリント指示する（ステップＳ１６０７）。
【０１１３】
このようにして、カラーページ及び白黒ページが混在したジョブを、カラーページはカラーＭＦＰ１０４でプリントさせ、白黒ページは白黒ＭＦＰ１０５でプリントさせることができる。
【０１１４】
尚、上述の説明では、ラスタライズはページ毎に順次行ったが、ジョブ全部を一旦大容量のメモリ部（ＨＤＤ）６０４にてＲＩＰ展開し、順次、メモリ部（半導体メモリ）６０５にページ毎又は複数ページ分を読み出して判定処理しても構わない。また、上述のジョブの自動分割は、カラーページと白黒ページとで分割するものであったが、所定の部数単位で分割してもよいし、写真ページと文字ページとで分割してもよい。また、上述の説明では、ドライバからプリント情報がカラーＭＦＰ１０４に送られて、カラーＭＦＰ１０４で各ページのカラー／白黒判定を行って、カラーページの出力を最初に行ったが、これに限定するものではなく、白黒のＭＦＰ１０５で各ページのカラー／白黒判定を行って、白黒ページの出力を先に行ってもよい。
【０１１５】
＜カラーＭＦＰ１０４の処理＞
次に、カラーＭＦＰ１０４の処理を図２１のフローチャートを用いて説明する。
【０１１６】
図２１のフローチャートは、カラーＭＦＰ１０４内のＣＰＵ１８０５により実行されるプログラムであり、そのプログラムはＣＰＵ１８０５に付随する記憶媒体に格納されている。
【０１１７】
カラーＭＦＰ１０４は、コンピュータ１０３の設定画面又はカラーＭＦＰ１０４本体の操作部におけるジョブの設定によって、カラー／白黒混交のためにインサータ１０８を使用するか否かを判断する（ステップＳ２１０１）。インサータ１０８を使用しないと判断した場合は、通常プリントとして、上述したような制御手順に従って処理が行われる（ステップＳ２１０２）。他方、インサータ１０８を使用すると判断した場合は、更に、入力された画像データが、原稿をカラーＭＦＰ１０４のスキャナ部２０１で読み取ることにより入力されたデータか、又はコンピュータ１０３から入力されカラーＭＦＰ１０４へ送信されてきた電子ファイルデータかを判断する（ステップＳ２１０３）。
【０１１８】
入力された画像データが、原稿をカラーＭＦＰ１０４のスキャナ部２０１で読み取ることにより入力されたデータであると判断した場合は、カラーＭＦＰ１０４に装備されている原稿圧板の下面の原稿又は自動原稿送り装置により搬送された原稿を読み取り（ステップＳ２１０４）、原稿から読み取ったデータをデジタル画像情報に変換し、カラーＭＦＰ１０４のハードディスク等の画像記憶装置に記憶する（ステップＳ２１０５）。他方、入力された画像データが、コンピュータ１０３から入力されカラーＭＦＰ１０４へ送信されてきた電子ファイルデータであると判断した場合は、コンピュータ（サーバ）１０２から画像情報とジョブの各種設定情報がカラーＭＦＰ１０４にダウンロードされ、カラーＭＦＰ１０４は上記画像情報とジョブの各種設定情報をそのままハードディスク等の画像記憶装置に登録する（ステップＳ２１０６）。
【０１１９】
次に、カラーＭＦＰ１０４は、上記記憶された画像形成すべき画像のページがカラーページであるか又は白黒ページであるかを判断する（ステップＳ２１０７）。画像形成すべき画像のページが白黒ページであると判断した場合は、その順番情報（ページ情報）等をスタッカトレイ１２０７の記憶装置１２０２にあるメモリマップ上に書き込む。また、カラーＭＦＰ１０４内の画像記憶装置に記憶されるデータのうち、白黒データは、コンピュータ（サーバ）１０２上の画像記憶装置、又はコンピュータ（サーバ）１０２を介して白黒ＭＦＰ１０５の画像記憶装置に転送される（ステップＳ２１０８）。転送されるデータは、ジョブデータのうちどのページが白黒の画像データなのかを示すデータを送りさえすればよいので、画像データでなくても良い。
【０１２０】
他方、画像形成すべき画像のページがカラーページであると判断した場合は、カラーデータは、カラーＭＦＰ１０４の画像記憶装置に転送される（ステップＳ２１０９）。次に、設定された積載方法又は自動的に判断された積載方法により、先頭ページから正順にプリント処理する先頭ページ処理か、又は後ページから逆順にプリント処理する後ページ処理かが選択され、その後、前記選択に応じたプリント処理が行われ（ステップＳ２１１０）、インサータ１０８内のスタッカトレイ１２０７に出力紙が積載される（ステップＳ２１１１）。その際、スタッカトレイ１２０７内の記憶装置１２０２に対して、例えば上記図１９に示したメモリマップにあるようなカラー混交のための情報が書き込まれる（ステップＳ２１１２）。そして、最終ページの処理が終了していなければ（ステップＳ２１１３でＮＯ）、再び上記ステップＳ２１０７に戻って処理を継続し、最終ページの処理が終了していれば（ステップＳ２１１３でＹＥＳ）、本処理を終了する。尚、上記制御では、スタッカトレイ１２０７の記憶装置１２０２に情報を書き込むタイミングは用紙１枚毎であるが、これに限定されるものではなく、ジョブ前、ジョブ毎、ページ毎、ジョブ後などタイミングはいつでも構わない。
【０１２１】
＜白黒ＭＦＰ１０５の処理＞
次に、白黒ＭＦＰ１０５の処理を図２２及び図２３のフローチャートを用いて説明する。
【０１２２】
図２２及び図２３のフローチャートは、白黒ＭＦＰ１０５内のＣＰＵ１７０５により実行されるプログラムであり、そのプログラムはＣＰＵ１７０５に付随する記憶媒体に格納されている。
【０１２３】
まず図２２のフローチャートを用いて、白黒ＭＦＰ１０５におけるプリント処理を開始する判断方法に関して説明する。この処理は所定のサンプリング周期、又はコンピュータ（サーバ）１０２からのプリント指示受信時、プリント完了時、白黒ＭＦＰ１０５の装備情報の変化やプリント可能状態等のステータス情報の変化等のイベントが発生した時に起動される。
【０１２４】
最初にコンピュータ（サーバ）１０２からのプリント指示の有無を判断する（ステップＳ２２００）。プリント指示が来ている場合（ステップＳ２２００でＹＥＳ）には、指示されたプリントが単純白黒ページプリントであるか又はカラー／白黒混交プリントであるかの判断を行う（ステップＳ２２０１）。カラー／白黒混交プリント（ステップＳ２２０１でＹＥＳ）であれば、次に、自動分割ジョブであるか否かの判断を行う（ステップＳ２２０２）。単純白黒ページプリントの場合（ステップＳ２２０１でＮＯ）の場合には、不図示の白黒ページのみのプリントを開始し（ステップＳ２２１０）、本処理を終了する。
【０１２５】
カラー／白黒混交プリントが自動分割ジョブである場合（ステップＳ２２０２でＹＥＳ）には、まずカラー白黒混交ジョブ内の全ての白黒ページに相当する白黒ページ番号通知（ステップＳ１６１１）が完了するのを待つ（ステップＳ２２０３）。前記全ページの白黒ページ番号通知がなされたときには、次にカラーで画像形成されたカラー画像出力紙が積載されたスタッカトレイ１２０７がインサータ１０８に設置されるのを待つ（制御手段）（ステップＳ２２０４）。一方、上記ステップＳ２２０２でカラー／白黒混交プリントが自動分割ジョブでない場合、即ち、手動分割が設定されている場合には、白黒ページのページ番号はプリント指示がなされたときに確定しているので、白黒ページ番号通知を待たずにステップＳ２２０４へ移行する。
【０１２６】
白黒ＭＦＰ１０５のインサータ１０８にスタッカトレイ１２０７の装着が検知されると（ステップＳ２２０４でＹＥＳ）、スタッカトレイ１２０７内の記憶装置１２０２に、スタッカトレイ１２０７に格納されたカラー画像出力紙を白黒ＭＦＰ１０５から排出される白黒画像出力紙に混交するカラー混交のための情報が記憶されているか否かを確認する（ステップＳ２２０５）。前記情報が確認できた場合は、ＣＰＵ１７０５により記憶装置１２０２の読み込みと解析を行う（ステップＳ２２０６）。
【０１２７】
そして、上記図１９に示したようなメモリマップの内部情報に基づき解析を行い、プリント動作を開始する。先ず、スタッカトレイ１２０７内のジョブ束が混交されるべきＭＦＰを示す「プリンタＮｏ」を、スタッカトレイ１２０７に内蔵された記憶装置１２０２から読み取り、白黒ＭＦＰ１０５本体のメモリに格納されているＭＦＰ１０５の装置情報（少なくとも、スタッカトレイ１２０７をインサータ１０８に装着すべき情報、画像形成ジョブのシリアルナンバーを示す情報を含む）と照合する（ステップＳ２２０７）。照合結果が一致した場合は、スタッカトレイ１２０７の最初に処理されるべきジョブＩＤを記憶装置１２０２から読み取り、そのジョブＩＤに該当するジョブが白黒ＭＦＰ１０５に送信されているかどうかを判断する（ステップＳ２２０８）。そのジョブＩＤに該当するジョブが送信されている場合、即ち、一致するジョブＩＤが存在する場合は、白黒ＭＦＰ１０５でプリントを開始し、プリント開始したことをサーバ１０２に報知する（ステップＳ２２０９）。
【０１２８】
ジョブＩＤ、プリンタＮｏが不一致とされた場合は、インサータ１０８の動作を禁止すると共に、白黒ＭＦＰ１０５の操作部などの表示部によりユーザに不一致の旨の表示をさせて警告報知する。そして、サーバ１０２にプリント不可能である旨の通知をする。尚、警告報知は、表示のみ、表示と音声の併用、音声のみのいずれでもよい。このジョブＩＤ、プリントＮｏが不一致であるかどうかの判断をすることにより、ユーザが指定したジョブ以外のプリントデータとの混載を防止し、ユーザの要求に基づいたＭＦＰを使用した混交動作を可能にする。
【０１２９】
ここで、カラー白黒混交ジョブが白黒ＭＦＰ１０５に入力され、ステップＳ２２０４〜ステップＳ２２０８の間で、混交プリント用のカラーＭＦＰ１０４で出力されたカラーシートが、インサータに載置されていない又は一致しない場合は、混交プリントジョブの待機ジョブとして白黒ＭＦＰ１０５内に登録される。そして、インサータに新たにスタッカトレイが装着されるごとに、白黒ＭＦＰ１０５のＣＰＵにより、混交プリントの待機ジョブに該当するかどうかを判断する。その結果、待機ジョブに該当していると判断すると、サーバ１０２に待機ジョブのカラー白黒混交プリントが可能になったと通知する。そして、サーバ１０２から、再度そのカラー白黒混交プリントのプリント開始の通知を受けたらカラー白黒混交プリントを開始する。
【０１３０】
次に図２３を用いて、カラー／白黒混交のプリント動作に関して説明する。まず、白黒データがコンピュータ（サーバ）１０２にある場合は（ステップＳ２３００でＹＥＳ）、メモリマップ上に書き込まれているジョブＩＤ・プリンタＮｏに該当するジョブの画像データをコンピュータ（サーバ）１０２から白黒ＭＦＰ１０５にダウンロードし、ＨＤＤ等の記憶装置１２０２に記憶する（ステップＳ２３０１）。予め白黒ＭＦＰ１０５のＨＤＤ内に該当ジョブの画像データが記憶されている場合は、プリンタＮｏ及びジョブＩＤがＨＤＤ内の画像データと一致するかを判断する。不一致と判断した場合は、白黒ＭＦＰ１０５の操作部等の表示部によりユーザに警告報知する。尚、警告報知は、表示のみ、表示と音声の併用、音声のみのいずれでもよい。他方、一致すると判断した場合は、上述の混交制御に基づきプリント動作を開始する。
【０１３１】
次に、積載方法の情報により、上記「積載制御」で説明したどのパターンに相当するかを判断する（ステップＳ２３０２）。積載状態Ｂと判断した場合は、先頭ページ処理によるフェイスダウン出力制御を実行する（ステップＳ２３０３）。他方、積載状態Ａと判断した場合は、後ページ処理によるフェイスアップ出力制御を実行する（ステップＳ２３０４）。次に、メモリマップ又はコンピュータ（サーバ）１０２のページＮｏ情報から、混交動作として処理される現在のページが白黒ページであるか又はカラーページであるかを判断する（ステップＳ２３０５）。
【０１３２】
混交動作として処理される現在のページが白黒ページであると判断した場合は、該当ページの画像を形成する白黒ページプリントを行い（ステップＳ２３０６）、白黒ＭＦＰ１０５に装着されている大容量スタッカ１０９に出力紙を出力する。他方、混交動作として処理される現在のページがカラーページであると判断した場合は、白黒ＭＦＰ１０５に装着されているインサータ１０８内に設置されたスタッカトレイ１２０７から該当ページを給紙し（ステップＳ２３０７）、大容量スタッカ１０９に出力する。以上の動作が、設定された部数分繰り返されることで（ステップＳ２３０８でＹＥＳ）、混交動作が終了する。尚、スタッカトレイ１２０７内に複数ジョブが格納されている場合は、上記ステップＳ２３００からステップＳ２３０８までを、格納されているジョブのページ数だけ繰り返す。
【０１３３】
次に、図３４のフローチャートを用いて、サーバ１０２におけるプリントサーバ処理を説明する。
【０１３４】
このフローチャートは、サーバ１０２内臓のＣＰＵによって実行されるプログラムであり、該プログラムはサーバ１０２の記憶媒体に格納されている。
【０１３５】
サーバ１０２は、プリントサーバの役割を担っており、各ネットワーク上のコンピュータからのプリントジョブを一元管理している。サーバ１０２では、まず待機ジョブに設定された待機中のジョブがあるか否かを判断する（ステップＳ３４００）。後述するが、設定された待機ジョブとは、サーバ１０２がプリント開始の通知をプリンタに送ってもプリンタ側からプリント不可能のステータスを返信されたジョブのことを指す。
【０１３６】
待機中のジョブがないと判断されると、プリンタへのジョブの送信準備が整っているが、まだプリンタへプリント指示を出していないジョブがあるか否かを判断する（ステップ３４０１）。もし、プリント指示を出していないジョブがあれば、サーバ１０２は、プリンタにプリントを指示するコマンドを送信する（ステップＳ３４０３）。プリントを指示した結果として、プリンタからプリント可能であるか否かを示す信号をサーバ１０２は待ち、その結果を受けてプリンタがプリント可能であるか否かを判断する（ステップＳ３４０４）。プリンタからプリント不可能であるとの情報を受けると、プリント不可能と判断されたジョブは、待機ジョブと設定される（ステップＳ３４０６）。
【０１３７】
そして、ステップＳ３４００において、ステップＳ３４０６で待機ジョブに設定されたジョブがあると判断されると、その待機ジョブに対して、プリンタ側からプリント不可能状態からプリント可能状態になったことを示す通知に従って、プリンタにプリントを開始させる命令を送る（ステップＳ３４０２）。そして、プリントを開始したら、プリンタからプリント終了のステータスを受ける（ステップＳ３４０５）。
【０１３８】
図２４〜図３３に基づいて、本発明の画像形成システムにおける、図２２、図２３及び図３４に示すプログラムを動作させた場合のプリンタとそのジョブの関係を説明する。この情報は、サーバに登録又は管理されている。
【０１３９】
図２４（Ａ）は、ジョブＡがサーバ１０２に登録された場合の白黒/カラーＭＦＰの状態を示す図であり、（Ｂ）はジョブリストを示す図である。
【０１４０】
図２４（Ｂ）において、ジョブＡは、白黒カラー混交ジョブで、トータルの白黒ページ数１０００ページ、カラーページ５００ページの全１５００ページのジョブである。ジョブＡは、現在カラーＭＦＰ１０４においてプリント中で、プリントされた用紙はスタッカ１０７内のスタッカトレイ１２０７に排出されている。ジョブＡにおける白黒ページは、カラーＭＦＰ１０４で出力されたシートを積載するスタッカトレイ１２０７が、インサータ１０８にセットされるのを待っている状態である。
【０１４１】
ジョブＢは白黒カラー混交ジョブで、白黒ページ３０００ページ、カラーページ１０００ページの全４０００ページのジョブである。ジョブＢは、まだサーバ１０２に送信されていない。ジョブＣは、白黒ジョブで、白黒ページ２０００ページのジョブである。ジョブＣは、まだサーバ１０２に送信されていない。ジョブＤは、白黒ジョブで、白黒ページ１０００ページのジョブである。ジョブＤは、まだサーバ１０２に送信されていない。
【０１４２】
図２５（Ａ）は、図２４に示す状態からジョブＢがサーバに登録された状態に遷移したときの白黒/カラーＭＦＰの状態を示す図であり、（Ｂ）はジョブリストを示す図である。
【０１４３】
ジョブＢは、現在ジョブＡがカラーＭＦＰ１０４においてプリントの途中の状態なので、白黒、カラー両方のプリント動作を待機させる。
【０１４４】
図２６（Ａ）は、図２５に示す状態からジョブＣがサーバ１０２に登録された状態に遷移したときの白黒/カラーＭＦＰの状態を示す図であり、（Ｂ）はジョブリストを示す図である。
【０１４５】
ジョブＣがサーバ１０２に登録された時に、白黒のプリンタは全く使用されていない状態なので、ジョブＣのプリントを白黒ＭＦＰ１０５で実行する。
【０１４６】
図２７（Ａ）は、図２６に示す状態から、ジョブＡのカラープリントが終了し、ジョブＡのカラー出力紙の積載されたスタッカトレイ（これ以降トレイＡという）が、スタッカ１０７から引き抜かれて、何も積載されていない新たなスタッカトレイ（これ以降トレイＢという）がカラーＭＦＰ１０４のスタッカ１０７にセットされた状態に遷移したときの白黒/カラーＭＦＰの状態を示す図であり、（Ｂ）はジョブリストを示す図である。
【０１４７】
ジョブＢのカラー出力が可能になったので、ジョブＢのカラープリントをトレイＢに出力する。
【０１４８】
図２８（Ａ）は、図２７に示す状態からジョブＣの白黒プリントが出力完了し、ジョブＡのカラープリントが積載されているトレイＡが、インサータ１０８にセットされた状態に遷移したときの白黒/カラーＭＦＰの状態を示す図であり、（Ｂ）はジョブリストを示す図である。
【０１４９】
ジョブＡのカラープリントが終了しトレイＡが、インサータ１０８にセットされたので、ジョブＡの白黒ページを出力して、白黒カラー混交出力を実行する。
【０１５０】
図２９（Ａ）は、図２８に示す状態からジョブＤがサーバに登録されている状態に遷移したときの白黒/カラーＭＦＰの状態を示す図であり、（Ｂ）はジョブリストを示す図である。白黒ＭＦＰ１０５は、ジョブＡのカラー白黒混交出力に利用されているのでジョブＤの白黒プリントは、白黒ＭＦＰにプリント指示をすることなく待機させる。
【０１５１】
図３０（Ａ）は、図２９に示す状態からジョブＡのカラー白黒混交出力が終了した状態に遷移したときの白黒/カラーＭＦＰの状態を示す図であり、（Ｂ）はジョブリストを示す図である。ジョブＡが終了し、ジョブＢはカラーＭＦＰ１０４においてカラープリント実行中なので、ジョブＤの白黒プリント出力を白黒ＭＦＰ１０５で実行する。
【０１５２】
図３１（Ａ）は、図３０の状態から、ジョブＤの白黒プリント出力が白黒ＭＦＰ１０５において完了した状態に遷移したときの白黒/カラーＭＦＰの状態を示す図であり、（Ｂ）はジョブリストを示す図である。ジョブＢにおけるカラープリントは実行中なので、白黒ＭＦＰ１０５におけるジョブＢの白黒プリントは待機状態である。
【０１５３】
図３２（Ａ）は、図３１の状態からジョブＢにおけるカラープリントが終了したので、トレイＢが、白黒ＭＦＰ１０５におけるインサータ１０８にセットされた状態に遷移したときの白黒/カラーＭＦＰの状態を示す図であり、（Ｂ）はジョブリストを示す図である。トレイＢが、インサータ１０８にセットされたので、ジョブＢの白黒ページを出力して、白黒カラー混交出力を実行する。
【０１５４】
図３３は、全ジョブのプリントが終了した状態に遷移したときの白黒/カラーＭＦＰの状態を示す図であり、（Ｂ）はジョブリストを示す図である。
【０１５５】
このように、白黒ＭＦＰ１０５単体のみで終了するジョブを白黒カラー混交ジョブにおいて未使用のプリンタを利用して、プリントを実行することによって、プリンタのダウンタイムを極力軽減することができ、効率的にかつ出力の待ち時間の少ないプリンタを提供することができる。
【０１５６】
尚、上記以外にも、カラー白黒混交に有効な又は必要な情報がある場合には、その情報に基づき混交動作の制御を行う。また、カラーＭＦＰ１０４のカラー画像出力紙をスタッカトレイ１２０７に積載し、白黒ＭＦＰ１０５に設置されたインサータ１０８からカラー画像出力紙を白黒画像出力紙に混交する例を説明したが、上記構成が逆となり、白黒ＭＦＰ１０５の白黒画像出力紙をスタッカトレイ１２０７に積載し、カラーＭＦＰ１０４に設置されたインサータ１０８から白黒画像出力紙をカラー画像出力紙に混交するものとしてもよい。また、スタッカトレイ１２０７に搭載されたメモリからインサート用紙の積載完了を判断し白黒ＭＦＰ１０５がプリントを開始して混交する例を説明したが、オペレータ操作によってコンピュータ（サーバ）１０２や白黒ＭＦＰ１０５上の操作部からインサート用紙の積載完了を指示することでプリントを開始して混交するようにしてもよい。
【０１５７】
以上説明したように、本実施の形態によれば、スタッカトレイ１２０７が白黒ＭＦＰ１０５のインサータ１０８に設置されるまで、白黒ＭＦＰ１０５のＣＰＵ１７０５が白黒ＭＦＰ装置内で画像形成を実行しないように制御するので、従来のように出力途中でインサート用紙なしで白黒画像形成装置が停止してしまうことが防止され、画像形成装置の大幅なダウンタイムの発生を低減させることが可能となる。
【０１５８】
また、カラー白黒混交を実行しないジョブに関しては、スタッカトレイ１２０７が白黒ＭＦＰ１０５のインサータ１０８に設置されることを待たずに画像形成が実行されるので、画像形成装置を効率良く使用することでダウンタイムを低減させることが可能になる。
【０１５９】
尚、インサータ１０８に用紙がセットされているか否かを判別して、用紙がセットされていないときには白黒ＭＦＰ装置内で画像形成を実行しないように制御するようにしても、従来のように出力途中でインサート用紙なしで白黒画像形成装置が停止してしまうことが防止され、画像形成装置の大幅なダウンタイムの発生を低減させることが可能となる。
【０１６０】
［他の実施の形態］
上記実施形態では、画像形成システムを図１に示すような構成としたが、本発明はこれに限定されるものではなく、画像形成装置及びコンピュータの設置台数、ネットワークの設置形態は任意とすることが可能である。
【０１６１】
上記実施形態では、画像形成装置を画像読取機能・画像形成機能・ファクシミリ機能等の複数の機能を備えた複合機（ＭＦＰ）とした場合を例に挙げたが、本発明はこれに限定されるものではなく、画像読取機能・画像形成機能を備えた複写機、画像形成機能のみを備えたプリンタに適用することも可能である。
【０１６２】
上記実施形態では、画像形成装置の画像形成方式を電子写真方式とした場合を例に挙げたが、本発明はこれに限定されるものではなく、インクジェット方式、熱転写方式、感熱方式、静電方式など各種画像形成方式に適用することが可能である。
【０１６３】
上記実施形態では、スタッカトレイ１２０７が白黒ＭＦＰ１０５のインサータ１０８に設置されるまで画像形成を実行しないように制御したが、白黒カラー混交出力を実行するための用紙や原稿束がセットされたか否かを検出するための不図示のセンサー等を設けて、該センサー等で白黒カラー混交出力を実行するための用紙や原稿束がセットされたことを検出するまで画像形成を実行しないように制御してもよい。
【０１６４】
本発明は、複数の機器から構成されるシステムに適用しても、１つの機器からなる装置に適用してもよい。上述した実施形態の機能を実現するソフトウエアのプログラムコードを記憶した記憶媒体等の媒体をシステム或いは装置に供給し、そのシステム或いは装置のコンピュータ（またはＣＰＵやＭＰＵ）が記憶媒体等の媒体に格納されたプログラムコードを読み出し実行することによっても、本発明が達成されることは言うまでもない。
【０１６５】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムコードを記憶できるものであればよい。
【０１６６】
また、コンピュータが読み出したプログラムコードを実行することにより、上述した実施形態の機能が実現されるだけでなく、そのプログラムコードの指示に基づき、コンピュータ上で稼動しているＯＳ等が実際の処理の一部又は全部を行い、その処理によって上述した実施形態の機能が実現される場合も、本発明に含まれることは言うまでもない。
【０１６７】
更に、記憶媒体等の媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も、本発明に含まれることは言うまでもない。
【０１６８】
本発明の実施態様の例を以下に列挙する。
【０１６９】
〔実施態様１〕ネットワークに接続された外部装置から入力されるジョブの画像形成を実行する画像形成手段を備える画像形成装置において、予め決められたページに用紙を挿入する挿入手段であって、前記画像形成装置に取り付け及び取り外しできるものと、前記外部装置から入力されるジョブが前記挿入手段を使用するか否かを判定する判定手段と、前記画像形成装置に前記挿入手段が取り付けられたか否かを検知する検知手段と、前記判定手段により前記挿入手段を使用すると判定されたジョブについては、前記検知手段により前記挿入手段の前記画像形成装置への取り付けが検知されるまで、画像形成を実行しないように前記画像形成手段を制御する制御手段とを備えることを特徴とする画像形成装置。
【０１７０】
〔実施態様２〕ネットワークに接続された外部装置から入力されるジョブの画像形成を実行する画像形成手段を備える画像形成装置において、予め決められたページに用紙を挿入する挿入手段と、前記外部装置から入力されるジョブが前記挿入手段を使用するか否かを判定する判定手段と、前記画像形成装置に前記挿入手段による挿入が可能か否かを判別する判別手段と、前記判定手段により前記挿入手段を使用すると判定されたジョブについては、前記判別手段により前記挿入手段による挿入が可能であると判別されるまで、画像形成を実行しないように前記画像形成手段を制御する制御手段とを備えることを特徴とする画像形成装置。
【０１７１】
〔実施態様３〕前記制御手段は、前記判定手段により前記挿入手段を使用しないと判定されたジョブについては、前記検知手段による検知結果によらず、画像形成を実行するように前記画像形成装置を制御することを特徴とする実施態様１記載の画像形成装置。
【０１７２】
これにより、検知手段による検知結果を待たずに画像形成が実行されるので、画像形成装置を効率良く使用することができ、ダウンタイムを低減させることが可能になる。
【０１７３】
〔実施態様４〕前記制御手段は、前記判定手段により前記挿入手段を使用しないと判定されたジョブについては、前記判別手段による判別結果によらず、画像形成を実行するように前記画像形成装置を制御することを特徴とする実施態様２記載の画像形成装置。
【０１７４】
これにより、判別手段による判別結果を待たずに画像形成が実行されるので、画像形成装置を効率良く使用することができ、ダウンタイムを低減させることが可能になる。
【０１７５】
〔実施態様５〕前記検知手段は、予め決められたページに挿入するための用紙が前記画像形成装置にセットされたか否かを検出することを特徴とする実施態様１又は３記載の画像形成装置。
【０１７６】
〔実施態様６〕前記判別手段は、予め決められたページに挿入するための用紙がインサータにセットされているか否かを判別することを特徴とする実施態様２又は４記載の画像形成装置。
【０１７７】
〔実施態様７〕コンピュータにネットワークを介して接続されたカラー画像形成装置と白黒画像形成装置とから構成される画像形成システムにおいて、前記カラー画像形成装置及び前記白黒画像形成装置の少なくとも一方が、画像が形成された出力用紙とインサート用紙を予め決められたページ順に混交する混交手段（１０８）であって、前記カラー画像形成装置と前記白黒画像形成装置の一方又は双方に接続されるものと、前記コンピュータ上から出力されるカラーページと白黒ページとが混在するジョブの各ページに関しカラーページであるか又は白黒ページであるかを判定するページ判定手段（２０５，１７０５）と、前記ページ判定手段による判定結果に応じて、前記カラーページは前記カラー画像形成装置により画像形成させ、前記白黒ページは前記白黒画像形成装置により画像形成させるために前記ジョブを分割する分割手段（２０５）と、該分割されたジョブの画像形成を実行する画像形成手段と、前記カラー画像形成装置又は前記白黒画像形成装置に前記混交手段が取り付けられたか否かを検知する検知手段（１７０５）と、前記混交手段が前記カラー画像形成装置により画像形成された用紙と前記白黒画像形成装置により画像形成された用紙のいずれか一方の用紙を前記インサート用紙として他方の用紙と混交するときに、前記検知手段により前記混交手段の前記画像形成装置への取り付けが検知されるまで、前記他方の用紙の画像形成を実行しないように前記画像形成手段を制御する制御手段（１７０５）とを備えることを特徴とする画像形成システム。
【０１７８】
〔実施態様８〕ネットワークに接続された外部装置から入力されるジョブの画像形成を実行する画像形成手段と、予め決められたページに用紙を挿入する挿入手段であって、前記画像形成装置に取り付け及び取り外しできるものとを備える画像形成装置で実行可能な画像形成用プログラムであって、前記外部装置から入力されるジョブが前記挿入手段を使用するか否かを判定する判定モジュールと、前記画像形成装置に前記挿入手段が取り付けられたか否かを検知する検知モジュールと、前記判定モジュールにより前記挿入手段を使用すると判定されたジョブについては、前記検知モジュールにより前記挿入手段の前記画像形成装置への取り付けが検知されるまで、画像形成を実行しないように前記画像形成手段を制御する制御モジュールとを前記画像形成装置に実行させることを特徴とする画像形成用プログラム。
【図面の簡単な説明】
【０１７９】
【図１】本発明の実施の形態に係る複数台の画像形成装置と複数台のコンピュータをネットワーク接続した画像形成システムの全体構成を示す概念図である。
【図２】本実施の形態に係る画像形成装置であるＭＦＰ１０４の全体構成を示すブロック図である。
【図３】本実施の形態に係る画像形成装置であるＭＦＰ１０４のスキャナ部２０１の構成を示す構成図である。
【図４】本実施の形態に係る画像形成装置であるＭＦＰ１０４の画像処理部（ＩＰ部）２０２の構成を示すブロック図である。
【図５】本実施の形態に係る画像形成装置であるＭＦＰ１０４のＦＡＸ部２０３の構成を示すブロック図である。
【図６】本実施の形態に係る画像形成装置であるＭＦＰ１０４のＮＩＣ部２０４及びＰＤＬ部２０５の構成を示すブロック図である。
【図７】本実施の形態に係る画像形成装置であるＭＦＰ１０４のコア部２０６の構成を示すブロック図である。
【図８】（Ａ）は、本実施の形態に係る画像形成装置であるＭＦＰ１０４のＰＷＭ部２０７及びプリンタ部２０８の構成を示すブロック図であり、（Ｂ）はＭＦＰ１０４のＰＷＭ部２０７の各構成部に入出力される信号を示す図である。
【図９】本実施の形態に係る画像形成装置であるカラーＭＦＰ１０４のプリンタ部２０８の内部構造を示す構成図である。
【図１０】本実施の形態に係る画像形成装置である白黒ＭＦＰ１０５のプリンタ部２０８の内部構造を示す構成図である。
【図１１】本実施の形態に係る画像形成装置であるＭＦＰ１０４のディスプレイ部２１０の構成を示すブロック図である。
【図１２】本実施の形態に係るスタッカ１０７がカラーＭＦＰ１０４の出力紙を積載・格納するのに使用される場合の構成を示す構成図である。
【図１３】コンピュータ１０２上でユーティリティソフトウェアを起動させたときの画面の表示例を示す図である。
【図１４】コンピュータ１０２，１０３上で動作するソフトウエアであるプリンタドライバの画面表示例を示す図である。
【図１５】本実施の形態に係るカラー／白黒ページ分割処理を示すフローチャートである。
【図１６】白黒ＭＦＰ１０５とインサータ１０８の接続構成を示すブロック図である。
【図１７】カラーＭＦＰ１０４とスタッカ１０７の接続構成を示すブロック図である。
【図１８】本実施の形態に係る画像形成装置である白黒ＭＦＰ１０５に装着されたインサータ１０８及び大容量スタッカ１０９の構成を示す構成図である。
【図１９】本実施の形態に係る記憶装置１２０２のメモリマップを示す図である。
【図２０】（ａ）は原稿の構成例を示す図であり、（ｂ）〜（ｅ）は白黒ＭＦＰ１０５に装着されたインサータ内のスタッカトレイ及び大容量スタッカにおける出力紙の積載状態を示す説明図である。
【図２１】カラーＭＦＰ１０４内のＣＰＵ１８０５により実行されるプログラムを示すフローチャートである。
【図２２】白黒ＭＦＰ１０５内のＣＰＵ１７０５により実行されるプログラムを示すフローチャートであり、白黒ＭＦＰ１０５におけるプリント処理を開始する判断方法を示す。
【図２３】白黒ＭＦＰ１０５内のＣＰＵ１７０５により実行されるプログラムを示すフローチャートであり、白黒ＭＦＰ１０５におけるカラー／白黒混交のプリント動作を示す。
【図２４】（Ａ）は、ジョブＡがサーバ１０２に登録された場合の白黒/カラーＭＦＰの状態を示す図であり、（Ｂ）はジョブリストを示す図である。
【図２５】（Ａ）は、図２４に示す状態からジョブＢがサーバに登録された状態に遷移したときの白黒/カラーＭＦＰの状態を示す図であり、（Ｂ）はジョブリストを示す図である。
【図２６】（Ａ）は、図２５に示す状態からジョブＣがサーバ１０２に登録された状態に遷移したときの白黒/カラーＭＦＰの状態を示す図であり、（Ｂ）はジョブリストを示す図である。
【図２７】（Ａ）は、図２６に示す状態から、ジョブＡのカラープリントが終了し、ジョブＡのカラー出力紙の積載されたスタッカトレイ（これ以降トレイＡという）が、スタッカ１０７から引き抜かれて、何も積載されていない新たなスタッカトレイ（これ以降トレイＢという）がカラーＭＦＰ１０４のスタッカ１０７にセットされた状態に遷移したときの白黒/カラーＭＦＰの状態を示す図であり、（Ｂ）はジョブリストを示す図である。
【図２８】（Ａ）は、図２７に示す状態からジョブＣの白黒プリントが出力完了し、ジョブＡのカラープリントが積載されているトレイＡが、インサータ１０８にセットされた状態に遷移したときの白黒/カラーＭＦＰの状態を示す図であり、（Ｂ）はジョブリストを示す図である。
【図２９】（Ａ）は、図２８に示す状態からジョブＤがサーバに登録されている状態に遷移したときの白黒/カラーＭＦＰの状態を示す図であり、（Ｂ）はジョブリストを示す図である。
【図３０】（Ａ）は、図２９に示す状態からジョブＡのカラー白黒混交出力が終了した状態に遷移したときの白黒/カラーＭＦＰの状態を示す図であり、（Ｂ）はジョブリストを示す図である。
【図３１】（Ａ）は、図３０に示す状態から、ジョブＤの白黒プリント出力が白黒ＭＦＰ１０５において完了した状態に遷移したときの白黒/カラーＭＦＰの状態を示す図であり、（Ｂ）はジョブリストを示す図である。
【図３２】（Ａ）は、図３１に示す状態からジョブＢにおけるカラープリントが終了したので、トレイＢが、白黒ＭＦＰ１０５におけるインサータ１０８にセットされた状態に遷移したときの白黒/カラーＭＦＰの状態を示す図であり、（Ｂ）はジョブリストを示す図である。
【図３３】全ジョブのプリントが終了した状態に遷移したときの白黒/カラーＭＦＰの状態を示す図であり、（Ｂ）はジョブリストを示す図である。
【図３４】サーバ１０２におけるプリントサーバ処理を示すフローチャートである。
【符号の説明】
【０１８０】
１０１  ネットワーク
１０２  サーバコンピュータ
１０３  クライアントコンピュータ
１０４  カラーＭＦＰ
１０５  白黒ＭＦＰ
１０７  スタッカ
１０８  インサータ
１０９  大容量スタッカ
２０１  スキャナ部
２０８  プリンタ部
１２０２  記憶装置
１２０７  スタッカトレイ
１７０５  白黒ＭＦＰ側ＣＰＵ
１８０５  カラーＭＦＰ側ＣＰＵ
【図１】
2005067862.tif 000003
【図２】
2005067862.tif 000004
【図３】
2005067862.tif 000005
【図４】
2005067862.tif 000006
【図５】
2005067862.tif 000007
【図６】
2005067862.tif 000008
【図７】
2005067862.tif 000009
【図８】
2005067862.tif 000010
【図９】
2005067862.tif 000011
【図１０】
2005067862.tif 000012
【図１１】
2005067862.tif 000013
【図１２】
2005067862.tif 000014
【図１３】
2005067862.tif 000015
【図１４】
2005067862.tif 000016
【図１５】
2005067862.tif 000017
【図１６】
2005067862.tif 000018
【図１７】
2005067862.tif 000019
【図１８】
2005067862.tif 000020
【図１９】
2005067862.tif 000021
【図２０】
2005067862.tif 000022
【図２１】
2005067862.tif 000023
【図２２】
2005067862.tif 000024
【図２３】
2005067862.tif 000025
【図２４】
2005067862.tif 000026
【図２５】
2005067862.tif 000027
【図２６】
2005067862.tif 000028
【図２７】
2005067862.tif 000029
【図２８】
2005067862.tif 000030
【図２９】
2005067862.tif 000031
【図３０】
2005067862.tif 000032
【図３１】
2005067862.tif 000033
【図３２】
2005067862.tif 000034
【図３３】
2005067862.tif 000035
【図３４】
2005067862.tif 000036